(57)【要約】      （修正有）【課題】軽量でコンパクトなテーブルであって、少なくても麻雀と囲碁とを楽しむことができる多用途テーブルを提供する。【解決手段】脚１が着脱自在に取付けられる本体３の内部に、少なくとも４つの細長い容器９と碁用罫6aを有する第一板６とが収納され、本体３外周縁に蓋板５の枠部４内周が嵌着される。【選択図】図１
0003120294.tif 000002
【実用新案登録請求の範囲】
【請求項１】
四隅に夫々脚(1) が着脱自在に取付られる脚取付部(2) を有し、平面が正方形の浅い箱状に形成された本体(3) と、
その本体(3) の上面に着脱自在に載置され、一方の表面のみに麻雀用生地(5a)が被着され、両面の周縁に滑り止め用の枠部(4) が厚み方向に突設され、その枠部(4) の内周が前記本体(3) の外周に整合する蓋板(5)と、
前記本体(3) に収納され、外周が前記本体(3) の内周よりも小に形成されて、表面に碁用罫(6a)が描かれた略正方形の第一板(6) と、
その第一板(6) の外周面と前記本体(3)の内周面との間に夫々着脱自在に収納され、それらの間の二分の一に整合する幅を有する細長い平面方形の少なくとも四つの容器(9)と、
を具備する多用途テーブル。
【請求項２】
請求項１において、
表面にチェス用罫(10)が描かれた第二板(11)を有し、前記第一板(6) の裏面または前記第二板(11)の裏面に将棋用罫(7a)が描かれ、その第二板(11)が前記第一板(6) に重ね合わされて、前記本体(3) に収納される多用途テーブル。
【請求項３】
請求項１または請求項２において、
前記容器(9) はその長手方向を仕切る仕切部(9a)を有し、その容器(9) が前記本体(3) の平坦な外周面に吸盤(12)を介して着脱自在に取付られる多用途テーブル。
【考案の詳細な説明】
【技術分野】
【０００１】
本考案は１つのテーブルで麻雀や囲碁、将棋、チェス、その他を楽しむことができるとともに、通常のテーブルとしても使用できる多用途テーブルに関する。
【背景技術】
【０００２】
天板の一方の表面に麻雀用生地を被着し、他方の表面をメラニン樹脂で被覆したものが存在する。そして、その天板をコタツの上等にそれを載置し、麻雀をするときは麻雀用生地側を表面とし、その他のときはメラニン樹脂側を表面として使用するものが存在する。
【考案の開示】
【考案が解決しようとする課題】
【０００３】
上記のように複数の用途に使用される天板で、麻雀以外に囲碁や将棋、チェス或いは商標名オセロの各ゲームを楽しむためには、その天板上に碁盤となる板や将棋盤、チェス盤等を載置して行う必要がある。それらの各板を探して取り出してくるのは面倒であり、その面倒が故に、ゲームへの意欲を失わせるおそれがある。
そこで本考案は各種のゲームをひとつのテーブルで、直ぐに楽しむことができると共に、コンパクトで軽量なものを提供することを課題とする。
【課題を解決するための手段】
【０００４】
請求項１に記載の本考案は、四隅に夫々脚(1) が着脱自在に取付られる脚取付部(2) を有し、平面が正方形の浅い箱状に形成された本体(3) と、
その本体(3) の上面に着脱自在に載置され、一方の表面のみに麻雀用生地(5a)が被着され、両面の周縁に滑り止め用の枠部(4) が厚み方向に突設され、その枠部(4) の内周が前記本体(3) の外周に整合する蓋板(5)と、
前記本体(3) に収納され、外周が前記本体(3) の内周よりも小に形成されて、表面に碁用罫(6a)が描かれた略正方形の第一板(6) と、
その第一板(6) の外周面と前記本体(3)の内周面との間に夫々着脱自在に収納され、それらの間の二分の一に整合する幅を有する細長い平面方形の少なくとも四つの容器(9)と、
を具備する多用途テーブルである。
【０００５】
請求項２に記載の本考案は、請求項１において、
表面にチェス用罫(10)が描かれた第二板(11)を有し、前記第一板(6) の裏面または前記第二板(11)の裏面に将棋用罫(7a)が描かれ、その第二板(11)が前記第一板(6) に重ね合わされて、前記本体(3) に収納される多用途テーブルである。
【０００６】
請求項３に記載の本考案は、請求項１または請求項２において、
前記容器(9) はその長手方向を仕切る仕切部(9a)を有し、その容器(9) が前記本体(3) の平坦な外周面に吸盤(12)を介して着脱自在に取付られる多用途テーブルである。
【考案の効果】
【０００７】
本考案のテーブルは、麻雀や囲碁をひとつのテーブルで任意に楽しむことができる。麻雀をするときは、蓋板５を本体３に載置し、その枠部４を本体３外周縁に嵌着することにより、ゲーム中の蓋板５の移動を防止できる。そして、本体３内に収納されている４つの容器９を取り出すことにより、それを麻雀用の点棒入れとすることができる。このとき、碁盤となる第一板６は本体３内に収納状態にすることができる。
次に、囲碁を楽しむときは蓋板５を取り外した状態で、その碁盤となる第一板６の外周に容器９を配置することにより、プレイ中の碁盤の移動を防止し囲碁を楽しむことができる。このとき容器９は、碁石入れとすることができる。
更に、チェス用罫10を有する第二板11を本体３内に収納し、その第二板11もしくは第一板６裏面に将棋用罫7aが存在する場合には、さらにチェスや将棋を楽しむことが可能となる。
【０００８】
上記構成において、容器９の長手方向に仕切り板9aを設けるとともに、その容器９を吸盤12を介して本体３外面に着脱自在に吸着できるようにしたものにおいては、小スペースで取り扱いやすい麻雀用点棒入れを提供できる。
上記いずれの構成においても多用途となるテーブルをコンパクトで且つ軽量化することができる。
【考案を実施するための最良の形態】
【０００９】
次に、図面に基づいて本考案の実施の形態につき説明する。図１は本考案の多用途テーブルの一部破断分解斜視図であり、図２はその本体３に各部品を収納した状態の平面図であって、天板を取り外した状態を示す。また、図３はその使用状態の一例を示す一部破断正面図、図４は将棋をするときの平面図である。
【００１０】
この多用途テーブルは、本体３と蓋板５と第一板６および第二板11並びに四つの容器９、４本の脚１を有する。本体３はその４隅の下面に脚１が着脱自在に取付けられる脚取付部２を有する。脚取付部２は脚１の上端に突設されたボルトを螺着するボルト孔からなる。本体３は浅い正方形の箱状に形成されたものである。本体３内には、この例では第一板６、第二板11と４つの容器９および4つの脚1が収納される。第一板６、第二板11は共に同一の正方形または略正方形に形成され、本体３内に収納され、その本体３の内周と第一板６，第二板11の外周との間に４つの容器９が収納される。
【００１１】
容器９の幅は、本体３の内側の一辺と第一板６の一辺の差の２分の１よりも僅かに小に形成されている。その容器９の長さは、第一板６の一辺の長さの略２分の１程度である。そして、図２に示す如く第一板６が本体３内の中央に配置され、その両側に一対づつの容器９を収納することができる。容器９は、内部に複数の仕切り板9aが形成されている。第一板６の図２において上下には一対づつの脚１が収納される。脚１はその一端にボルト部1aが突設されている。
【００１２】
次に、本体３に被嵌される蓋板５は、本体３外周よりも一回り大なる正方形に形成されている。すなわち、蓋板５はその外周に枠部４を有し、枠部４の内周が本体３の外周よりも僅かに大に形成されている。この枠部４は、蓋板５の上面側および下面側にそれぞれ突設されている。蓋板５の一方の表面には、麻雀用生地5aとして起毛されたラシャが被着されている。他方の表面にはメラニン樹脂が接着等の手段により固定されている。また、本体３の枠部４の上下両面および外周にはメラニン樹脂が接着等の手段により被着されている。
【００１３】
なお、容器９の長手方向に平行な側面には一対の係止孔が設けられ、その孔に吸盤12の軸部が係脱自在に係止される。そしてこの吸盤12を介し、容器９が本体３の外周面に着脱自在に被着される。次に、第一板６には、その表面側に碁用罫6aが描かれ、裏面側に将棋用罫7aが描かれている。また第二板11の表面にはチェス用罫10が描かれ、その裏面側には商品名オセロの罫が描かれている。
【００１４】
（使用方法）
麻雀を楽しむには、本体３内から４本の脚１を取り出し、その上端に設けたボルト部1aを本体３の下面４隅の脚取付部２に螺着締結する。なお、この脚は座卓用の長さであるが、それに代えて通常の椅子仕様の長さのものを用いることもできる。
そして、本体３内の４つの容器９を取り出し、その側面に吸盤12を係止させる。そして吸盤12を介し、それぞれの容器９を本体３外周の４面に吸着させる。次いで、蓋板５の麻雀用生地5aを上面にして、蓋板５を本体３に載置する。このとき蓋板５の枠部４の内周縁が本体３上縁外周に嵌着される。それによりゲーム中に蓋板５が不用意に本体３から移動することを防止できる。なお、トランプ等を楽しむときは、その麻雀用生地5a上ですることができる。
通常のテーブルとして使用する場合には、蓋板５の他方の表面であるメラニン樹脂側を上面にして、蓋板５を本体３に嵌着する。このときも蓋板５の枠部４の内周縁が本体３外周縁に嵌着される。
【００１５】
次いで、将棋を楽しむときは、蓋板５を取り外す。そして、図４に示す如く、第一板６の将棋用罫7a側を上面にして、容器９を第一板６外周に収納する。この容器９の幅は第一板６の一辺と蓋板５の内周との差の２分の１であり、同図の如く対角線上の一対の隅にそれぞれの容器９を二つＬ字状に配置することにより、第一板６を本体３内に位置決めすることができる。なお、容器９は、その底部を上面側にすることにより、そこに獲得した将棋の駒を置くことができる。その第一板６をひっくり返せば囲碁が楽しめる。このとき容器９は逆向きにすることにより、そこに碁石を収納することができる。
次に、同様にして第二板11のチェス用罫10を第一板６の上側に配置し、チェスを楽しむことができる。更には第二板11の裏面側を利用することにより、商標名オセロを楽しむことができる。
【図面の簡単な説明】
【００１６】
【図１】本考案の多用途テーブルの一部破断分解斜視図。
【図２】同テーブルにおいて、各部品を本体３内に収納した状態を示す平面図。
【図３】同テーブルの使用状態の一例を示す一部破断正面図。
【図４】同他の使用状態を示す平面図。
【符号の説明】
【００１７】
１  脚  
1a  ボルト部
２  脚取付部
３  本体
４  枠部
５  蓋板
5a  麻雀用生地
６  第一板
【００１８】
6a  碁用罫
7a  将棋用罫
９  容器
9a  仕切り板
10  チェス用罫
11  第二板
12  吸盤  
【図１】
0003120294.tif 000003
【図２】
0003120294.tif 000004
【図３】
0003120294.tif 000005
【図４】
0003120294.tif 000006